(57)【要約】【課題】導光素子に入射した光を効率よくソーラーセルに導光できるソーラーセル付き電子時計を提供する。【解決手段】時計表示部材を含む時計モジュールを収納した外胴と、外胴の上面に固定配置されたカバーガラスと、カバーガラスと時刻表示部材の間で、時刻表示部材の外縁部近傍に沿ってリング状に配置される導光素子と、導光素子の内部に埋設されリング状のソーラーセルとを備え、ソーラーセルは、第１のソーラーセルと第１のソーラーセルの外側に配置される第２のソーラーセルとを有し、第１、第２のソーラーセルはそれぞれ透明性基板と透明性基板の表面に形成される発電層とを有し、かつソーラーセルの内外周面が時刻表示部材の表面に対して略垂直に立設されており、カバーガラスを通過して導光素子に入射する光を時計中心側から第１のソーラーセルへ、導光素子の内部で反射した光を第２のソーラーセルに入射するように構成されていることを特徴とする。【選択図】図１
2008233037.tif 000002
【特許請求の範囲】
【請求項１】
時計表示部材を含む時計モジュールを収納した外胴と、
当該外胴の上面に固定配置されたカバーガラスと、
前記カバーガラスと前記時刻表示部材の間で、前記時刻表示部材の外縁部近傍に沿ってリング状に配置される導光素子と、  
該導光素子の内部に埋設されリング状のソーラーセルとを備え、
前記ソーラーセルは、第１のソーラーセルと該第１のソーラーセルの外側に配置される第２のソーラーセルとを有し、前記第１、第２のソーラーセルはそれぞれ透明性基板と該透明性基板の表面に形成される発電層とを有し、かつ前記ソーラーセルの内外周面が前記時刻表示部材の表面に対して略垂直に立設されており、
前記カバーガラスを通過して前記導光素子に入射する光を、時計中心側から前記第１のソーラーセルへ、前記導光素子の内部で反射した光を第２のソーラーセルに入射するように構成されている
ことを特徴とするソーラーセル付き電子時計。
【請求項２】
前記導光素子は、前記カバーガラスを透って入射する光の入射面以外の領域を光反射膜で被覆されている
ことを特徴とする請求項１に記載のソーラーセル付き電子時計。
【請求項３】
前記ソーラーセルは、前記第１のソーラーセルと前記第２のソーラーセルとが接着層を介して接着固定されている
ことを特徴とする請求項１または２に記載のソーラーセル付き電子時計。
【請求項４】
前記第１のソーラーセルにおける前記発電層が形成された透明性基板表面とは反対側の表面と、前記第２のソーラーセルにおける前記発電層が形成された透明性基板表面とを前記接着剤で接着固定する
ことを特徴とする請求項３に記載のソーラーセル付き電子時計。
【請求項５】
前記第１のソーラーセルにおける前記発電層が形成された透明性基板表面と、前記第２のソーラーセルにおける前記発電層が形成された透明性基板表面とを対向させて、前記接着剤で接着固定する
ことを特徴とする請求項３に記載のソーラーセル付き電子時計。
【請求項６】
前記第１のソーラーセルの発電層は、時計中心からｎ型半導体層とｉ型半導体層とｐ型半導体層とが順に積層して構成されており、
前記第２のソーラーセルの発電層は、時計中心からｐ型半導体層とｉ型半導体層とｎ型半導体層とが順に積層して構成されている
ことを特徴とする請求項１から５のいずれか一項に記載のソーラーセル付き電子時計。
【請求項７】
前記第１と第２のソーラーセルは、ともに同じサイズに形成されて、端部を一致させて前記導光素子内部に埋設されている
ことを特徴とする請求項１から６のいずれか一項に記載のソーラーセル付き電子時計。
【発明の詳細な説明】
【技術分野】
【０００１】
本発明は、ソーラーセルにより発生する光起電力を動力源とするソーラーセル付き電子時計に関するものであり、この電子時計のカバーガラスと時刻表示部材の間で、時刻表示部材の外縁部近傍に配置したソーラーセルの構造に係るものである。
【背景技術】
【０００２】
近年は、電子時計の低消費電力化と、ソーラーセルで発電した電力を効率よく充放電できる電子回路の改良により、小面積のソーラーセルで電子時計を駆動できるソーラーセル付き電子時計が数多く提供されている。
【０００３】
従来の、ソーラーセル付き電子時計は、細長い帯状ソーラーセルを風防ガラスと文字板間で、時刻表示部材の外縁部近傍に、文字板に対して略垂直に湾曲配置した構造となっている（例えば、特許文献１参照）。
【０００４】
以下、特許文献１に記載された従来のソーラーセル付き電子時計を図面に基づいて説明する。図１０は従来のソーラーセル付き電子時計の外観正面図である。図１１は従来のソーラーセル付き電子時計の部分断面図であり、図１０におけるＤ−Ｄ’の部分断面を示している。
【０００５】
図１０、図１１に示すように、従来のソーラーセル付き電子時計８００は、ケース８８内に文字板８５と指針８４を載せたムーブメント８７を収容し、ケース８８上面を風防ガラス８３で覆っている。そして、見返しリング８２の外周、つまり、文字板８５と風防ガラス８３の間隙の文字板外周に、ソーラーセルブロック８０を配置している。このソーラーセルブロック８０は、見返しリング８２の外周に帯状のソーラーセル８１を巻き付けてある。外部からの光は、風防ガラス８３と見返しリング８２を透過して、ソーラーセル８１に到達し、光エネルギーを電気エネルギーに変換して、電子時計を駆動する。
【０００６】
上記構成のソーラーセル付き電子時計８００とすれば、不透明な文字板を使用することができるようになり、自由な時計のデザイン設計が可能となる。
【０００７】
また、上記ソーラーセル付き電子時計８００に搭載可能なソーラーセルとして、透明な樹脂基板上に透明電極材料の下部電極と、非晶質シリコン層からなる光電変換層と、上部電極を形成する金属層を順次積層したソーラーセルの構成が提案されている（例えば、特許文献２参照）。
【０００８】
【特許文献１】特開２００３−２７０３６６号公報（第３−５頁、第１−５図）
【特許文献２】特開平７−７９００７号公報（第２−５頁、第４−９図）
【発明の開示】
【発明が解決しようとする課題】
【０００９】
しかしながら、前述の特許文献１に記載のソーラーセル８１を特許文献１に記載のソーラーセル付き電子時計８００に搭載した場合には、以下の問題が生じていた。
【００１０】
前述の特許文献１の説明における図１０、図１１に示すように、円形形状の文字板８５のソーラーセル付き電子時計８００では、ソーラーセル８１を見返しリング８２の外周に沿って湾曲させて巻き付けている。見返しリング８２は、導光素子として機能している。このとき、ソーラーセル付き電子時計８００の外部から風防ガラス８３を透過して見返し
リング８２に入射した光の一部が、見返しリング８２内部で反射・屈折されてソーラーセル８１に到達せずに、見切りリング８２外部に出射してしまい、従って入射光の一部が発電に寄与しない状態となる。
【００１１】
この状態を、図１２を用いてさらに詳しく説明する。図１２は図１１における見返しリング８２付近の拡大図であり、風防ガラス８３を透過した入射光が見返しリング８２に入射した後の、光線の状況を模式的に示したものである。光線Ａ‘は見返しリング８２に屈折透過で入射したあと、全反射、屈折透過して時計内部方向へ進行しソーラーセル８１に入射しない。光線Ｂ’は見返しリング８２に屈折透過で入射したあと、屈折透過して時計内部方向へ進行しソーラーセル８１に入射しない。光線Ｃ‘は見返しリング８２に屈折透過で入射したあと、屈折透過してソーラーセル８１に入射する。光線Ｄ’は見返しリング８２に屈折透過で入射したあと、全反射、屈折透過してソーラーセル８１に入射する。従って、光線Ａ‘とＢ’は見返しリング８２に入射しているのにソーラーセル８１に届かず、入射光のロスが発生していて発電に寄与しないのである。
【００１２】
この様に、従来のソーラーセル付き電子時計８００は、見返しリング８２に沿ってソーラーセル８１を湾曲させて巻き付けるが、この入射光ロスに起因して、ソーラーセル８１の光起電力が期待ほど得られなくなってしまうという問題があった。
【００１３】
そこで、本発明の目的は、上記課題を解決し、導光素子に入射した光を少ないロスでソーラーセルまで導き、常に安定して所望の光電変換量を得ることができるソーラーセル付き電子時計を提供することにある。
【課題を解決するための手段】
【００１４】
本発明のソーラーセル付き電子時計は、基本的には下記記載の構成要件を採用するものである。
本発明のソーラーセル付き電子時計は、時計表示部材を含む時計モジュールを収納した外胴と、当該外胴の上面に固定配置されたカバーガラスと、前記カバーガラスと前記時刻表示部材の間で、前記時刻表示部材の外縁部近傍に沿ってリング状に配置される導光素子と、該導光素子の内部に埋設されリング状のソーラーセルとを備え、前記ソーラーセルは、第１のソーラーセルと該第１のソーラーセルの外側に配置される第２のソーラーセルとを有し、前記第１、第２のソーラーセルはそれぞれ透明性基板と該透明性基板の表面に形成される発電層とを有し、かつ前記ソーラーセルの内外周面が前記時刻表示部材の表面に対して略垂直に立設されており、前記カバーガラスを通過して前記導光素子に入射する光を、時計中心側から前記第１のソーラーセルへ、前記導光素子の内部で反射した光を第２のソーラーセルに入射するように構成されていることを特徴とする。
【００１５】
このように、本発明のソーラーセル付き電子時計では、カバーガラスを通過して導光素子に入射する光を、時計中心側から第１のソーラーセルへ、導光素子の内部で反射した光を第２のソーラーセルに入射するように構成している。従って、導光素子内部で屈折、反射した光を導光素子外へ出射させにくくし、第１のソーラーセルまたは第２のソーラーセルで捕捉しやすい構造となっている。このため、入射光の利用効率が増加し、ソーラーセル全体での発電電力を高めることができる。
【００１６】
また、本発明のソーラーセル付き電子時計は、導光素子の、カバーガラスを透って入射する光の入射面以外の領域が光反射膜で被覆されていることを特徴とする。
【００１７】
このように、本発明のソーラーセル付き電子時計では、導光素子の、カバーガラスを通過して導光素子に入射する光の入射面以外の領域が光反射膜で被覆されているので、導光素子内に入射した光が導光素子外へ出射させずに、第１のソーラーセルまたは第２のソー
ラーセルで捕捉する構造となっている。このため、入射光の利用効率が増加し、ソーラーセル全体での発電電力を高めることができる。
【００１８】
また、本発明のソーラーセル付き電子時計は、第１のソーラーセルと第２のソーラーセルとを接着層を介して接着固定してソーラーセルを構成していることを特徴とする。
【００１９】
このように、本発明のソーラーセル付き電子時計では、第１のソーラーセルと第２のソーラーセルとを接着層を介して接着固定しているので、第１のソーラーセルと第２のソーラーセルとの相互位置関係が常に一定となり、第１のソーラーセルおよび第２のソーラーセルで捕捉する入射光のバランスが維持しやすく、また、ソーラーセルを導光素子内部に埋設しやすい構造となっている。
【００２０】
また、本発明のソーラーセル付き電子時計では、第１のソーラーセルにおける発電層が形成された透明性基板表面とは反対側の表面と、第２のソーラーセルにおける発電層が形成された透明性基板表面とを接着剤で接着固定した構造であることを特徴としている。
【００２１】
また、本発明のソーラーセル付き電子時計では、第１のソーラーセルにおける発電層が形成された透明性基板表面と、第２のソーラーセルにおける発電層が形成された透明性基板表面とを対向させて、接着剤で接着固定した構造であることを特徴としている。
【００２２】
また、本発明のソーラーセル付き電子時計では、第１のソーラーセルの発電層は、時計中心からｎ型半導体層とｉ型半導体層とｐ型半導体層とが順に積層して構成されており、第２のソーラーセルの発電層は、時計中心からｐ型半導体層とｉ型半導体層とｎ型半導体層とが順に積層して構成されていることを特徴としている。
【００２３】
このように、本発明のソーラーセル付き電子時計では、第１のソーラーセルの発電層は、時計中心からｎ型半導体層とｉ型半導体層とｐ型半導体層とが順に積層して構成されており、第２のソーラーセルの発電層は、時計中心からｐ型半導体層とｉ型半導体層とｎ型半導体層とが順に積層して構成されており、これらのソーラーセルを、
第１のソーラーセルにおける発電層が形成された透明性基板表面とは反対側の表面と、第２のソーラーセルにおける発電層が形成された透明性基板表面とを接着剤で接着固定した構造、もしくは、第１のソーラーセルにおける発電層が形成された透明性基板表面と、第２のソーラーセルにおける発電層が形成された透明性基板表面とを対向させて、接着剤で接着固定した構造で設けてある。
【００２４】
このような構造とすることにより、ソーラーセル内部のひずみ応力によるソーラーセル自体の損傷を防止でき、入射光を効率良くソーラーセルで受光することができる。
【００２５】
また、本発明のソーラーセル付き電子時計では、第１と第２のソーラーセルは、ともに同じサイズに形成されて、端部を一致させて前記導電素子内部に埋設されていることを特徴とする。
【００２６】
このように、本発明のソーラーセル付き電子時計では、第１と第２のソーラーセルが、ともに同じサイズに形成されて、端部を一致させて前記導電素子内部に埋設されているので、導光素子内部に入射した光を、無駄なく第１および第２のソーラーセルで受光することができ、ソーラーセル全体での発電電力を高めることができる。
【発明の効果】
【００２７】
以上に述べたように、本発明のソーラーセル付き電子時計では、カバーガラスを通過して導光素子に入射する光を、時計中心側から第１のソーラーセルへ、導光素子の内部で反
射した光を第２のソーラーセルに入射するように構成している。従って、導光素子内部で屈折、反射した光を導光素子外へ出射させにくくし、第１のソーラーセルまたは第２のソーラーセルで捕捉しやすい構造となっている。このため、入射光の利用効率が増加し、ソーラーセル全体での発電電力を高めることができる。さらに、本発明のソーラーセル付き電子時計では、導光素子の、カバーガラスを通過して導光素子に入射する光の入射面以外の領域が光反射膜で被覆されているので、導光素子内に入射した光を導光素子外へ出射させずに、第１のソーラーセルまたは第２のソーラーセルで捕捉する構造となっている。このため、入射光の利用効率が増加し、ソーラーセル全体での発電電力を一段と高めることができるのである。
【発明を実施するための最良の形態】
【００２８】
本発明のソーラーセル付き電子時計の最大の特徴は、入射した光の有効利用効率の高いソーラーセルおよび導光素子の構造にあるが、本発明のソーラーセル付き電子時計の基本的な構造および外観は、従来技術の説明で図１０、図１１に基づいて示した従来のソーラーセル付き電子時計と略同じである。以下に、本発明のソーラーセル付き電子時計の構成およびそれに搭載されるソーラーセル、導光素子の構成例を、図面に基づいて説明する。
【実施例１】
【００２９】
まず、本発明のソーラーセル付き電子時計の実施例１について、詳細に説明する。
図１は、本発明のソーラーセル付き電子時計の部分断面図である。図２は、本発明のソーラーセル付き電子時計の分解斜視図である。ここで、図１の本発明のソーラーセル付き電子時計の部分断面図は、図１０に示した従来のソーラーセル付き電子時計の外観正面図におけるＤ−Ｄ’に対応する部分断面を示している。
【００３０】
図１および図２に示すように、本発明のソーラーセル付き電子時計１００は、ケース１８内に時計表示部材としての文字板１５と指針１４を載せたムーブメント１７を収容し、ケース１８上面をカバーガラス１３で覆っている。そして、文字板１５とカバーガラス１３の間隙の文字板外周近傍にソーラーセルブロック１０が配置されている。
【００３１】
また、このソーラーセルブロック１０については後に詳述するが、透光性の見返しリングを兼ねたリング状の導光素子１２の内部にリング状のソーラーセル１１を埋設してあり、ソーラーセル１１は、その内外周面が文字板１５の表面に対して略垂直になるように配置されている。そして、外部からの光は、カバーガラス１３と導光素子１２を透過してソーラーセル１１に到達し、光エネルギーを電気エネルギーに変換して、ムーブメント１７に内蔵される二次電池（図示せず）にこの電気エネルギーを蓄える。そして、ここで蓄えられた電気エネルギーにより、電子時計を駆動する。
【００３２】
このように、文字板外周近傍にソーラーセル１１を配置する利点は、表面が褐色のソーラーセル１１が目立たず、文字板１５の材質やデザインの制約がなくなり、かつ、明るい色の文字板も採用できることである。また、文字板１５外周近傍に導光素子１２を配置して、この導光素子１２の内部にソーラーセル１１を埋設することで、表面が褐色のソーラーセル１１が直接見え難くなるため、さらに時計デザインの自由度が向上する。
【００３３】
次に、図１に示した本発明のソーラーセル付き電子時計１００におけるソーラーセルブロック１０の詳細を図面に基づいて説明する。図３は、図１に示した本発明のソーラーセルブロック１０における導光素子１２の内部に埋設されたソーラーセル１１の斜視図である。
【００３４】
ソーラーセルブロック１０を構成する導光素子１２は、光透過性の樹脂製材料により成型されている。また、図３に示すように、リング状のソーラーセル１１はリング状の第１
のソーラーセル１１１と、その外側に配置されるリング状の第２のソーラーセル１１２とを有し、第１、第２のソーラーセル１１１、１１２は互いに接着層１１３によって固着されている。さらに、ソーラーセル１１にはで第１、第２のソーラーセル１１１、１１２で発生する電力を取り出す端子としての取り出し電極２１ｃ、２１ｄが設けられている。
【００３５】
このように、第１、第２のソーラーセル１１１、１１２は、取り出し電極２１ｃ、２１ｄ部を除く部分を導光素子１２の内部に埋設することにより、ソーラーセルブロック１０を形成している。この取り出し電極２１ｃ、２１ｄを時計のムーブメントの電源供給端子（図示せず）に接続固定することによって、ムーブメント１７に第１、第２のソーラーセル１１１、１１２で発生する光起電力を蓄えることができる。このようにソーラーセルブロック１０は、導光素子１２を透過した光エネルギーをソーラーセル１１に取り込むように構成されている。
【００３６】
次に、ソーラーセルブロック１０の構造を詳細に説明する。図４はソーラーセルブロック１０の半径方向断面図である。  図４に示すように、ソーラーセルブロック１０は、前述のように導光素子１２とソーラーセル１１で構成されている。また、ソーラーセル１１は、光入射側に第１のソーラーセル１１１を配し、光入射側と反対側、即ち第１のソーラーセル１１１の外側に第２のソーラーセル１１２を配して、ソーラーセル１１１とソーラーセル１１２とを接着層１１３によって固着した構成である。このソーラーセル１１を透明樹脂製の導光素子１２内部に、取り出し電極を除いて埋設する。なお、第１、第２のソーラーセル１１１、１１２は、ともに同じサイズに形成されて、端部を一致させて導電素子１２内部に埋設されている。また、本実施例では、埋設の方法には注入成形法を用いたが、射出成形法など、他の成形法も利用できる。
【００３７】
図４において、第１のソーラーセル１１１は透明樹脂材料からなるリング状の透明基板１１１ａと透明基板１１１ａの内側表面に形成するリング状の発電層１１１ｂとを備えており、発電層１１１ｂの表面には保護膜（図示せず）が設けられている。また、第２のソーラーセル１１２も第１のソーラーセル１１１と同様に透明樹脂材料からなるリング状の透明基板１１２ａと透明基板１１２ａの内側表面に形成するリング状の発電層１１２ｂとを備えており、発電層１１２ｂの表面には保護膜（図示せず）が設けられている。この第１のソーラーセル１１１における発電層１１１ｂが形成された透明性基板１１１ａ表面とは反対側の表面と、第２のソーラーセル１１２における発電層１１２ｂが形成された透明性基板１１２ａ表面とを接着剤１１３で接着固定してソーラーセル１１が形成されている。
【００３８】
ソーラーセル１１１の発電層１１１ｂは図示しないが、透明基板１１１ａの表面に、チタン層、アルミニウム層、ｎ型アモルファスシリコン、ｉ型アモルファスシリコン、ｐ型アモルファスシリコン、透明導電膜、保護膜を順次積層した構成であり、時計中心からｎ型半導体層とｉ型半導体層とｐ型半導体層とが順に積層して構成されている。
また、ソーラーセル１１２は透明基板１１２ａの表面に、透明導電膜、ｐ型アモルファスシリコン、ｉ型アモルファスシリコン、ｎ型アモルファスシリコン、アルミニウム層、チタン層、保護膜を順次積層した構成であり、時計中心からｐ型半導体層とｉ型半導体層とｎ型半導体層とが順に積層して構成されている。
【００３９】
導光素子１２は、カバーガラス１３（図１参照）を通過した光線を導光素子１２内に取り入れる入射面以外の表面にを、光反射率の高い金属等でコーティングして反射膜１３を形成する。本実施例では、反射層１３を形成するのにマスク蒸着法を用いて、二酸化珪素１００ｎｍ、アルミニウム２００ｎｍ、チタン１００ｎｍを順次積層して、反射層１３としている。言うまでもないが、他の成膜法を用いることができるし、反射層１３の材質は反射率が高ければ何を用いても良い。
【００４０】
このようにソーラーセル１１を導光素子１２内部に埋設して、カバーガラス１３を通過して導光素子１２に入射する光を時計中心側から第１のソーラーセル１１１へ、導光素子１２の内部で反射した光を第２のソーラーセル１１２に入射するように構成したことが、本発明のソーラーセル付き電子時計における最も特徴的な点である。この点について、次に詳述する。
【００４１】
本発明における特徴的な効果を図５を用いて説明する。すなわち、本発明では、図５に示すように、光線Ｂと光線Ｃとは、導光素子１２に入射した後、直接ソーラーセル１１のうち第１のソーラーセル１１１に入射する。光線Ａと光線Ｄとは、導光素子１２内部で反射された後で、ソーラーセル１１のうち第２のソーラーセル１１２に入射する。このように、導光素子１２内部に入射した光は、ほとんどすべてソーラーセル１１に入射する。
【００４２】
図５に示すように、本発明によれば、同一入射光量時にソーラーセルへ実際に入射する光量を、従来技術と比較して増やすことができる。実際に、本発明の第１の実施例によるソーラーセル付き電子時計と、文献１に係る従来技術によるソーラーセル付き電子時計とを５００ルクスの同一照明下に置いて、発電量を比較した結果が図６である。
【００４３】
図６に示したように、本発明の第１の実施例によるソーラーセル付き電子時計の発電量は、文献１に係る従来技術によるソーラーセル付き電子時計の発電量の約１．３倍であった。このことから、本発明によれば、同一入射光量時にソーラーセルへ実際に入射する光量を、従来技術と比較して増やすことができることがわかる。
【００４４】
既に述べたように、従来技術では、導光素子に入射した光の一部がソーラーセルに入射せず、ロスとなっていた。一方、本発明に係るソーラーセルブロック１０を搭載したソーラーセル付き電子時計は、従来技術で見られた入射光のロスが非常に少なく、入射光のほとんどがソーラーセルに入射するので、従来よりも多くの発電量が得られるのである。
【実施例２】
【００４５】
次に、本発明のソーラーセル付き電子時計の実施例２について、説明する。実施例２は、実施例１と比較してソーラーセルブロックに埋設されるソーラーセルの構成のみが異なり、その他は同一であるので、ソーラーセルブロックの実施例についてのみ、図７を用いて説明する。
【００４６】
図７は、本発明の第２の実施形態に係るソーラーセルブロック２０の半径方向断面図である。図７に示すように、ソーラーセルブロック２０は、導光素子１２とソーラーセル３１で構成されている。また、ソーラーセル３１は、光入射側に第１のソーラーセル２１１を配し、光入射側と反対側、即ち第１のソーラーセル２１１の外側に第２のソーラーセル１１２を配して、ソーラーセル２１１とソーラーセル１１２とを接着層１１３によって固着した構成である。このソーラーセル３１を導光素子１２内部に、取り出し電極を除いて埋設する。なお、第１、第２のソーラーセル２１１、１１２は、ともに同じサイズに形成されて、端部を一致させて導電素子１２内部に埋設されている。
【００４７】
図７において、第１のソーラーセル２１１は透明樹脂材料からなるリング状の透明基板２１１ａと透明基板２１１ａの内側表面に形成するリング状の発電層２１１ｂとを備えており、発電層２１１ｂの表面には保護膜（図示せず）が設けられている。また、第２のソーラーセル１１２は、実施例１同様であり、説明を省略する。この第１のソーラーセル２１１における発電層２１１ｂが形成された透明性基板１１１ａと、第２のソーラーセル１１２における発電層１１２ｂが形成された透明性基板１１２ａ表面とを接着剤１１３で接着固定してソーラーセル３１が形成されている。
【００４８】
ソーラーセル２１１の発電層２１１ｂは図示しないが、透明基板２１１ａの表面に、チタン層、アルミニウム層、ｎ型アモルファスシリコン、ｉ型アモルファスシリコン、ｐ型アモルファスシリコン、透明導電膜、保護膜を順次積層した構成であり、時計中心からｎ型半導体層とｉ型半導体層とｐ型半導体層とが順に積層して構成されている。なお、ソーラーセル１１２は、実施例１と同様であり、説明を省略する。また、導光素子１２についても実施例１と同様であり、説明を省略する。このようにソーラーセル３１を導光素子１２内部に埋設して、カバーガラスを通過して導光素子１２に入射する光を時計中心側からソーラーセル２１１へ、導光素子１２の内部で反射した光をソーラーセル１１２に入射するように構成している。この他は実施例１と同様の構成である。
【００４９】
以上のように、構成された実施例２におけるソーラーセル付き電子時計の発電量は、同一照明下での、実施例１におけるソーラーセル付き電子時計と同じであった。このように、実施例２におけるソーラーセル付き電子時計は、実施例１と同様の効果を得ることが出来る。
【００５０】
以上、実施例１と実施例２とで説明したソーラーセル付き電子時計にあっては、導光素子１２への入射光を従来技術に比べて有効に利用しており、発電量の多いソーラーセル付き電子時計１００を提供することができる。
【図面の簡単な説明】
【００５１】
【図１】本発明のソーラーセル付き電子時計の構成例を示す部分断面図である。
【図２】本発明のソーラーセル付き電子時計の分解斜視図である。
【図３】本発明のソーラーセルの斜視図である。
【図４】本発明の実施例１に係るソーラーセルブロックの断面図である。
【図５】本発明の実施例１に係るソーラーセルブロックの機能を示す模式図である。
【図６】本発明の実施例１に係るソーラーセルの発電量を従来例と比較した図である。
【図７】本発明の実施例２に係るソーラーセルブロックの断面図である。
【図８】従来技術に係るソーラーセル付き電子時計の構成例を示す外観正面図である。
【図９】従来技術に係るソーラーセル付き電子時計の構成例を示す部分断面図である。
【図１０】従来技術に係るソーラーセルブロックの機能を示す模式図である。
【符号の説明】
【００５２】
１００  ソーラーセル付き電子時計
１０、２０、８０    ソーラーセルブロック
１１、１１ａ、３１、８１  ソーラーセル
１２、８２  導光素子
１３、８３  風防ガラス
１４、８４  指針
１５、８５  文字板
１７、８７  ムーブメント
１８、８８  ケース
２１ｃ、２１ｄ  取り出し電極
１１１、２１１  第１のソーラーセル
１１１ａ、２１１ａ  透明基板
１１１ｂ、２１１ｂ  発電層
１１２  第２のソーラーセル
１１２ａ  透明基板
１１２ｂ  発電層
８００  ソーラーセル付き電子時計
【図１】
2008233037.tif 000003
【図２】
2008233037.tif 000004
【図３】
2008233037.tif 000005
【図４】
2008233037.tif 000006
【図５】
2008233037.tif 000007
【図６】
2008233037.tif 000008
【図７】
2008233037.tif 000009
【図８】
2008233037.tif 000010
【図９】
2008233037.tif 000011
【図１０】
2008233037.tif 000012